(57)【要約】【課題】  簡単、且つ、コンパクトな構成で荷物搬入・搬出車両を昇降させて所定の荷物搬入・搬出作業を行わせることを可能にするスロープを提供すること。【解決手段】  コンテナの荷物搬入・搬出口に近接・配置されるプラットフォームと、プラットフォームの一部として設けられ水平又は傾斜の何れかの状態に切り換えられ水平状態にあるときにはプラットフォームの一部として機能し傾斜状態にあるときには荷物搬入・搬出車両の荷台への昇降路として機能する荷物搬入・搬出車両走行路と、プラットフォームに出没可能に設けられ荷物搬入・搬出車両によってコンテナの荷物搬入・搬出口を介して搬入・搬出される荷物の載置場所或いは荷物搬入・搬出車両の作業場所として機能する補助ステージとを具備したもの。  【選択図】  図４
2005162402.tif 000002
【特許請求の範囲】
【請求項１】
コンテナの荷物搬入・搬出口に近接・配置されるプラットフォームと、
上記プラットフォームの一部として設けられ水平又は傾斜の何れかの状態に切り換えられ水平状態にあるときにはプラットフォームの一部として機能し傾斜状態にあるときには荷物搬入・搬出車両の荷台への昇降路として機能する荷物搬入・搬出車両走行路と、
上記プラットフォームに出没可能に設けられ上記荷物搬入・搬出車両によって上記コンテナの荷物搬入・搬出口を介して搬入・搬出される荷物の載置場所或いは荷物搬入・搬出車両の作業場所として機能する補助ステージと、
を具備したことを特徴とするスロープ。
【請求項２】
請求項１記載のスロープにおいて、
上記荷物搬入・搬出車両走行路は、上記プラットフォームの一部として配置され、その一端を介して回動可能に取り付けられていて、荷物搬入・搬出車両が昇降する場合には、一端を介して他端を下方に向けて回動させて傾斜した昇降路を提供するものであることを特徴とするスロープ。
【請求項３】
請求項２記載のスロープにおいて、
別の荷物搬入・搬出車両走行路要素が設けられていて、この荷物搬入・搬出車両走行路要素を上記傾斜した荷物搬入・搬出車両走行路の先端に連結するようにしたことを特徴とするスロープ。
【請求項４】
請求項３記載のスロープにおいて、
上記荷物搬入・搬出車両走行路要素は上記プラットフォームに着脱可能に取り付けられていることを特徴とするスロープ。
【請求項５】
請求項１〜請求項４の何れかに記載のスロープにおいて、
上記補助ステージは上記プラットフォームに対してその一端を介して回動可能に取り付けられていて、非使用時には他端を下方に向けて回動させ、使用時には他端を上方に向けて回動させて上記プラットフォームと平行な状態にすると共に上記プラットフォームに回動可能に取り付けられた支持脚部によって支持されるものであることを特徴とするスロープ。
【請求項６】
請求項５記載のスロープにおいて、
上記補助ステージは上記プラットフォームに対する水平状態からさらに上方に回動可能に取り付けられていて、上方に回動することにより上記プラットフォームから側方に突出しない状態になるように構成されていることを特徴とするスロープ。
【請求項７】
請求項１〜請求項６の何れかに記載のスロープにおいて、
上記プラットフォームは、第１プラットフォームと第２プラットフォームを着脱可能に連結したものであり、収納時には上記第１プラットフォームを上記第２プラットフォーム上に載置可能に構成されていることを特徴とするスロープ。  
【発明の詳細な説明】
【技術分野】
【０００１】
本発明は、例えば、船積用コンテナからフォークリフトを使用して荷物を搬入・搬出するような場合に、フォークリフトを船積用コンテナの荷物搬入・搬出口のレベルまで昇らせて作業を行うことを可能にするスロープに係り、特に、コンパクトで使い勝手の良好なものが得られるように工夫したものに関する。
【背景技術】
【０００２】
この種のスロープを開示するものとして、例えば、特許文献１、特許文献２、特許文献３等がある。
【０００３】
【特許文献１】特開平８―２６９４号公報
【特許文献２】特開平８―４０５６８号公報
【特許文献３】特開平９―１５６７７５号公報
【発明の開示】
【発明が解決しようとする課題】
【０００４】
上記従来の構成によると次のような問題があった。
まず、特許文献１、特許文献２、特許文献３の何れに開示されているスロープも、基本的には、フォークリフトがスロープを介してコンテナの荷物搬入・搬出口付近まで昇っていき、そこで荷物を保持してスロープを逆走して元の位置まで戻り、保持した荷物を載置するというものであり、そのため、スロープが長くなってしまうと共に、広い設置スペースを必要としてしまうという問題があった。
又、スロープ自体が大型構造物（特に、長手方向に長くなっている）になっているので、それを別の場所に移動させて使用することが困難であるといった問題があった。
又、荷物の搬入・搬出に際してフォークリフトの移動距離も長く、よって、搬入・搬出作業に長時間を要してしまうと共に、傾斜している走行路上を荷物を保持して走行するために、その間に荷崩れしてしまうようなことがあった。
【０００５】
本発明はこのような点に基づいてなされたものでその目的とするところは、簡単、且つ、コンパクトな構成で荷物搬入・搬出車両を昇降させて所定の荷物搬入・搬出作業を行わせることを可能にするスロープを提供することにある。
【課題を解決するための手段】
【０００６】
上記目的を達成するべく本願発明の請求項１によるスロープは、コンテナの荷物搬入・搬出口に近接・配置されるプラットフォームと、上記プラットフォームの一部として設けられ水平又は傾斜の何れかの状態に切り換えられ水平状態にあるときにはプラットフォームの一部として機能し傾斜状態にあるときには荷物搬入・搬出車両の荷台への昇降路として機能する荷物搬入・搬出車両走行路と、上記プラットフォームに出没可能に設けられ上記荷物搬入・搬出車両によって上記コンテナの荷物搬入・搬出口を介して搬入・搬出される荷物の載置場所或いは荷物搬入・搬出車両の作業場所として機能する補助ステージと、  を具備したことを特徴とするものである。
又、請求項２によるスロープは、請求項１記載のスロープにおいて、上記荷物搬入・搬出車両走行路は、上記プラットフォームの一部として配置され、その一端を介して回動可能に取り付けられていて、荷物搬入・搬出車両が昇降する場合には、一端を介して他端を下方に向けて回動させて傾斜した昇降路を提供するものであることを特徴とするものである。
又、請求項３によるスロープは、請求項２記載のスロープにおいて、別の荷物搬入・搬出車両走行路要素が設けられていて、この荷物搬入・搬出車両走行路要素を上記傾斜した荷物搬入・搬出車両走行路の先端に連結するようにしたことを特徴とするものである。
又、請求項４によるスロープは、請求項３記載のスロープにおいて、上記荷物搬入・搬出車両走行路要素は上記プラットフォームに着脱可能に取り付けられていることを特徴とするものである。
又、請求項５によるスロープは、請求項１〜請求項４の何れかに記載のスロープにおいて、上記補助ステージは上記プラットフォームに対してその一端を介して回動可能に取り付けられていて、非使用時には他端を下方に向けて回動させ、使用時には他端を上方に向けて回動させて上記プラットフォームと平行な状態にすると共に上記プラットフォームに回動可能に取り付けられた支持脚によって支持されるものであることを特徴とするものである。
又、請求項６によるスロープは、請求項５記載のスロープにおいて、上記補助ステージは上記プラットフォームに対する水平状態からさらに上方に回動可能に取り付けられていて、上方に回動することにより上記プラットフォームから側方に突出しない状態になるように構成されていることを特徴とするものである。
又、請求項７によるスロープは、請求項１〜請求項６の何れかに記載のスロープにおいて、上記プラットフォームは、第１プラットフォームと第２プラットフォームを着脱可能に連結したものであり、収納時には上記第２プラットフォームを上記第１プラットフォーム上に載置可能に構成されていることを特徴とするものである。  
【発明の効果】
【０００７】
以上述べたように、本願発明によるスロープによると、コンテナの荷物搬入・搬出口に近接・配置されるプラットフォームと、上記プラットフォームの一部として設けられ水平又は傾斜の何れかの状態に切り換えられ水平状態にあるときにはプラットフォームの一部として機能し傾斜状態にあるときには荷物搬入・搬出車両の荷台への昇降路として機能する荷物搬入・搬出車両走行路と、上記プラットフォームに出没可能に設けられ上記荷物搬入・搬出車両によって上記コンテナの荷物搬入・搬出口を介して搬入・搬出される荷物の載置場所或いは荷物搬入・搬出車両の作業場所として機能する補助ステージと、を具備した構成になっていて、荷物搬入・搬出車両がプラットフォーム上に昇る時には、荷物搬入・搬出車両走行路を傾斜させ、荷物搬入・搬出車両がプラットフォーム上に昇って作業を行う場合には、荷物搬入・搬出車両走行路を水平状態に戻す。そして、水平なプラットフォーム上にて荷物の搬入・搬出作業を行い、その際、補助ステージを使用して荷物の搬入・搬出を行う。
したがって、まず、プラットフォームの長さが大幅に短縮されることになり、コンパクトなスロープを得ることができるようになった。
又、荷物搬入・搬出車両はプラットフォーム上にて荷物の搬入・搬出作業を行うことができるので、作業時間が大幅に短縮されると共に、荷物を保持して傾斜路を走行する必要がないので、荷崩れ等を効果的に防止することができる。
又、コンパクトになったことにより何処にでも搬送して使用することができるようになった。
又、荷物搬入・搬出車両走行路としては様々な構成が考えられるが、例えば、上記プラットフォームの一部として配置して、その一端を介して回動可能に取り付け、荷物搬入・搬出車両が昇降する場合には、一端を介して他端を下方に向けて回動させて傾斜した昇降路を提供するように構成することが考えられ、その場合には、簡単な構成で所望の荷物搬入・搬出車両走行路を得ることができる。
又、別の荷物搬入・搬出車両走行路要素を上記荷物搬入・搬出車両走行路に着脱可能に連結した場合には、傾斜角度を小さくすることが可能になり、荷物搬入・搬出車両の昇降を容易なものとすることができる。
又、上記荷物搬入・搬出車両走行路要素を上記プラットフォームに着脱可能に取り付けた場合には、作業時の柵として機能させることができると共に非使用時に効率良く収納することが可能になる。
又、補助ステージをプラットフォームに対してその一端を介して回動可能に取り付けて、使用時には他端を上方に向けて回動させて上記プラットフォームと平行な状態にすると共に上記プラットフォームに回動可能に取り付けられた支持脚部によって支持されるように構成した場合には、別途、支持脚部を用意する必要もない。  
又、補助ステージを上記プラットフォームに対する水平状態からさらに上方に回動可能に取り付けて、上方に回動することにより上記プラットフォームから側方に突出しない状態になるように構成した場合には、例えば、トラックによって運搬する場合も、幅方向の寸法が抑えられることになるので、運び易くなるという利点がある。
又、プラットフォームを、第１プラットフォームと第２プラットフォームを着脱可能に連結したものとし、収納時には上記第２プラットフォームを上記第１プラットフォーム上に載置可能に構成した場合には、長手方向によりコンパクトな状態で収納することができるものである。
【発明を実施するための最良の形態】
【０００８】
以下、図１乃至図７を参照して本発明の一実施の形態を説明する。まず、プラットフォーム1があり、このプラットフォーム１は、第１プラットフォーム３と、第２プラットフォーム５とから構成されている。これら第１プラットフォーム３と第２プラットフォーム５は、図４に示す引掛け具６によって着脱可能に連結されている。上記第１プラットフォーム３は、図４に示すように、脚部６と、この脚部６上に設けられたステージ７とから構成されている。又、上記第２プラットフォーム５も、脚部９と、この脚部９上に設けられたステージ１１とから構成されている。
【０００９】
上記脚部６、９は各種鋼材を溶接等により連結することによって構築されている。又、上記ステージ１１は、図１に示すように、左側ステージ１３と、右側ステージ１５とから構成されている。又、これら左側ステージ１３と右側ステージ１５との間には、荷物搬入・搬出車両走行路としてのフォークリフト走行路１７が設けられている。
【００１０】
上記フォークリフト走行路１７は、図４に示すように、第１プラットフォーム３のステージ７側の一端において、図示しないヒンジ部を介して、上下方向に回動可能に取り付けられている（図４中矢印ａで示す方向に回動する）。そして、フォークリフト１９が地面から第１プラットフォーム３のステージ７上に昇る時、及び、該ステージ７上から地面に降りる時には、図４に示すように、下方に向って回動して傾斜した状態になる。上記フォークリフト走行路１７の傾斜状態は、脚部９に取り付けられたブラケット１８によって支持されるものである。又、フォークリフト１９がプラットフォーム１上にて作業を行う場合には、元の水平状態に戻されるものである。
【００１１】
又、図１は上記フォークリフト走行路１７を水平に戻した状態を示している。又、図６に示すように、脚部９に対して回動可能に取り付けられた脚部要素１０、１０があり、上記フォークリフト走行路１７は、これら脚部要素１０、１０によって下方より支持されるようになっている。上記脚部要素１０は、図示しないヒンジ部を介して回動可能に取り付けられたアーム１２、１２と、これらアーム１２、１２の先端に取り付けられた支持脚１４とから構成されている。
【００１２】
又、スロープ補助板２１、２２、２３、２４が設けられていて、これらスロープ補助板２１、２２、２３、２４は、図３、図４に示すように、フォークリフト走行路１７の先端に連結されることになる。これらスロープ補助板２１、２２、２３、２４をフォークリフト走行路１７に連結して使用することにより、走行路の傾斜角度を小さくすることができ、それによって、フォークリフト１９の昇降が容易になるものである。
【００１３】
又、上記スロープ補助板２１、２２、２３、２４は非使用時にはプラットフォーム１の柵として機能するようになっている。すなわち、スロープ２１、２２、２３、２４の側部には、図２（ａ）に示すように、凸部２６、２６が設けられている。一方、図１に示すように、第２プラットフオーム５の左側ステージ１３には差込部２８、２８が設けられている。同様に、右側ステージ１５にも、差込部２８、２８、２８、２８が設けられていると共に、フォークリフト走行路１７の先端にも差込部２８、２８が設けられている。これら各２個ずつの差込部２８、２８にスロープ補助板２１、２２、２３、２４の凸部２６、２６を差し込むことにより柵として機能させると共に収納するものである。
尚、図１では、スロープ補助板２１、２２、２３、２４を仮想線で示している。
【００１４】
上記フォークリフト走行路１７の左右両端部には複数個の滑り止め部材２５が所定のピッチで突設されている。又、上記スロープ補助板２１、２２、２３２４にも複数個の滑り止め部材２７が所定のピッチで突設されている。
【００１５】
上記第１プラットフォーム３のステージ７の１図中左奥には、補助ステージ３１が、図３中矢印ｂで示す方向に回動可能に取り付けられている。すなわち、補助ステージ３１はヒンジ部３３、３３を介して回動可能に取り付けられていて、荷物搬入・搬出時には、図１及び図３に示すように、上方に回動していて、第１プラットフォーム３のステージ７に対して平行な状態になっている。その状態は支持脚部３５によって支持されている。上記支持脚部３５は、第１プラットフォーム３の脚部５に対して回動可能に取り付けられている。すなわち、図３に示すように、ヒンジ部３６、３６を介して回動可能に取り付けられた２本の腕部３８、３８と、これら２本の腕部３８、３８の先端に取り付けられた支持脚４０とから構成されている。上記補助ステージ３１は、搬入・搬出する荷物の載置場所として機能したり、或いは、フォークリフト１９の作業場所として機能する。
【００１６】
又、上記ステージ７の奥側には短い別の補助ステージ４１がヒンジ部４３、４３を介して図３中矢印ｃで示す方向に回動可能に取り付けられていて、荷物搬入・搬出時には、図１、図４に示すように、上方に回動していて、ステージ７に対して平行な状態になっていると共に、コンテナ４５の底板４７上に載置された状態になる。
【００１７】
又、上記補助ステージ３１には開口部３２が形成されている。例えば、補助ステージ３１を上方に向けて起こすような場合に、フォークリフト１９のフォーク１９ａを上記開口部３２に差し込んで上方に起こすものである。
【００１８】
以上の構成を基にその作用を説明する。
まず、本実施の形態によるスロープを、例えば、４ｔトラックに積んで作業場所まで搬送して据え付ける。搬送する場合には、図７に示すような状態で搬送する。まず、第１プラットフォーム３と第２プラットフォーム５とを横に並べた状態とし、且つ、第１プラットフォーム３側の補助ステージ３１を立てた状態とする。それによって、補助ステージ３１が幅方向に出っ張ることがないので幅方向の寸法が縮小され、上記４ｔトラックに積載することが可能になる。
【００１９】
又、据付場所には、図４に示すように、船積コンテナ４５が図示しないトラックの荷台上に載置されている。そして、補助ステージ４１を上方に回動させてステージ７と平行にすると共に、船積コンテナ４５の底板４７上に載置する。又、補助ステージ３１を下方に回動させてステージ９と平行にして支持脚部３５によって支持する。
【００２０】
次に、フォークリフト走行路１７を下方に向けて回動させると共に、その先端にスロープ補助板２１、２２、２３、２４を連結する。フォークリフト１９は上記スロープ補助板２１、、２２、２３、２４及びフォークリフト走行路１７を介して地面から第１プラットフォーム３のステージ７上に昇る。フォークリフト１９がステージ７上に上がったら、上記スロープ補助板２１、２２、２３、２４を撤去すると共にフォークリフト走行路１７を元の水平状態に戻す。しそて、撤去したスロープ補助板２１、２２、２３、２４を、図１に示すように、ステージ１１の各所に立設して柵として機能させるものである。
尚、図４では、フォークリフト走行路１７が傾斜しているが、上記したように、フォークリフト１９によって作業を行う場合には、もとの水平状態に戻すものである。
【００２１】
後は、フォークリフト１９が第１プラットフォーム３のステージ７上、第２プラットフォーム５のステージ１１上を前後しながら、コンテナ４５内の荷物４９を搬出して、補助ステージ３１上に載置する。
尚、この場合、補助ステージ３１の横に図示しないパレットを積層して荷物載置部を構成し、そこに荷物４９を載置するようにしてもよく、その場合には、補助ステージ３１はフォークリフト１９の作業場所として機能することになる。
補助ステージ３１上又はパレット上に載置された荷物４９は、図示しない別のフォークリフトによって別の場所に搬送されることになる。
【００２２】
全ての作業が終了したら、フォークリフト走行路１７を下方に向けて回動させると共に、その先端にスロープ補助板２１、２２、２３、２４を連結する。フォークリフト１９は上記フォークリフト走行路１７、スロープ補助板２１、２２、２３、２４を介して第１プラットフォーム３のステージ７上から地面に降りる。又、スロープ補助具２１、２２、２３、２４は撤去される。又、補助ステージ３１、４１は下方に向けて回動されて脚部５に沿った状態にて格納される。
【００２３】
又、非使用時においてスロープを格納するような場合には、図５、図６に示すように、第１プラットフォーム３を第２プラットフォーム５上に載せた状態にする。それによって、長手方向に対してよりコンパクトな状態にて収納するものである。
【００２４】
以上本実施の形態によると次のような効果を奏することができる。
まず、スロープ自体がコンパクトになった。特に、その長さが各段に短縮された。これは、フォークリフト１９の昇降路を第２プラットフォーム５のステージ１１の一部を使用して提供するようにしたこと、又、従来のように、荷物４９を保持したフォークリフト１９がその都度逆走して地面に戻って荷物を置くのではなく、補助ステージ３１上又は図示しないパレット上に載置するように構成したこと、の二点が大きく寄与しているものである。
又、荷物４９の搬入・搬出作業に要する時間も大幅に短縮されることになり、それによって、コストの低減を図ることができる。
作業的におけるフォークリフト１９の走行距離も極めて短く、且つ、傾斜した走行路を荷物４９を保持して走行することもないので、走行途中における荷崩れを防止することができる。
又、スロープはコンパクトであって何処へでも搬送可能であるので便利である。
【００２５】
尚、本発明は前記一実施の形態に限定されるものではない。
例えば、前記一実施の形態では、荷物搬入・搬出車両走行路を中央部に配置したが、左右何れかの側に配置する構成も考えられる。
又、補助ステージをスライド方式によって出没させる構成も考えられる。
又、荷物を搬入・搬出する対象としては、船積用コンテナ以外にも様々なものが想定される。
又、前記一実施の形態の場合にはプラットフォームを、第１プラットフォームと第２プラットフォームに分けて構成し着脱可能としたが、単一のプラットフォームとすることも考えられる。
又、前記一実施の形態において、フォークリフト走行路１７の傾斜をより緩やかにするために、第２プラットフォーム５の長さを長くすることも考えられ、その際、第１プラットフォームの長さを短くすることが考えられる。
その他、図示したものはあくまで一例である。
【産業上の利用可能性】
【００２６】
本発明は、例えば、船積用コンテナからフォークリフトを使用して荷物を出し入れするような場合に、フォークリフトを船積用コンテナの荷物出入口のレベルまで昇らせて作業を行うことを可能にするスロープに係り、特に、コンパクトで使い勝手の良好なものを得られるように工夫したものに関し、例えば、船積用コンテナに対して荷物を搬入・搬出するような場合に好適である。
【図面の簡単な説明】
【００２７】
【図１】本発明の一実施の形態を示す図で、使用状態におけるスロープの平面図である。
【図２】本発明の一実施の形態を示す図で、図２（ａ）はスロープ補助板の平面図、図２（ｂ）はスロープ補助板の側面図である。
【図３】本発明の一実施の形態を示す図で、使用状態におけるスロープの正面図である。
【図４】本発明の一実施の形態を示す図で、使用状態におけるスロープの側面図である。
【図５】本発明の一実施の形態を示す図で、非使用状態であって収納時におけるスロープの側面図である。
【図６】本発明の一実施の形態を示す図で、非使用状態であって収納時におけるスロープの正面図である。
【図７】本発明の一実施の形態を示す図で、運搬時におけるスロープの正面図である。
【符号の説明】
【００２８】
１  プラットフォーム
３  第１プラットフォーム
５  第２プラットフォーム
６  脚部
７  ステージ
９  脚部
１１  ステージ
１３  左側ステージ
１５  右側ステージ
１７  フォークリフト走行路（荷物搬入・搬出車両走行路）
１９  フォークリフト（荷物搬入・搬出車両）  
２１  スロープ補助板（荷物搬入・搬出車両走行路要素）
２３  スロープ補助板（荷物搬入・搬出車両走行路要素）
３１  補助ステージ
３５  支持脚部
４５  コンテナ
４９  荷物  
【図１】
2005162402.tif 000003
【図２】
2005162402.tif 000004
【図３】
2005162402.tif 000005
【図４】
2005162402.tif 000006
【図５】
2005162402.tif 000007
【図６】
2005162402.tif 000008
【図７】
2005162402.tif 000009